【手続補正書】
【提出日】平成23年8月2日(2011.8.2)
【手続補正１】
【補正対象書類名】特許請求の範囲
【補正対象項目名】全文
【補正方法】変更
【補正の内容】
【特許請求の範囲】
【請求項１】
画像形成装置の使用に関する管理を行う画像形成装置使用管理システムであって、
ユーザに対して許可する、前記画像形成装置の使用量である使用可能量を示す、使用可能量データを、１人または複数のユーザによって構成されるグループごとに記憶する、使用可能量データ記憶手段と、
前記画像形成装置からの要求に従って、当該画像形成装置のユーザの前記グループの前記使用可能量データに示される全部または一部またはそれよりも多い使用量を割当使用可能量として当該画像形成装置に対して割り当てる、使用可能量割当手段と、
前記画像形成装置に割り当てた前記割当使用可能量が、当該画像形成装置のユーザの前記グループの現在の前記使用可能量から減らされるように、当該ユーザの前記グループの前記使用可能量データを更新する、割当時更新手段と、
前記グループの前記使用可能量に所定の使用量を補充する際に、当該グループの前記使用可能量データに示される前記使用可能量が負の値である場合は、当該所定の使用量と当該使用可能量の絶対値との差分が新たに示されるように、当該使用可能量データを更新する、追加時更新手段と、を有し、
前記使用可能量割当手段は、前記画像形成装置のユーザの前記グループの前記使用可能量データに示される前記使用可能量が０以下の値でありかつ当該ユーザが指令した未完了の画像処理が当該画像形成装置にない場合は、当該画像形成装置に対して前記割当使用可能量を割り当てない、
ことを特徴とする画像形成装置使用管理システム。
【請求項２】
画像形成装置の使用に関する管理を行う画像形成装置使用管理システムであって、
ユーザに対して許可する、前記画像形成装置の使用量である使用可能量を示す、使用可能量データを、１人または複数のユーザによって構成されるグループごとに記憶する、使用可能量データ記憶手段と、
前記画像形成装置からの要求に従って、当該画像形成装置のユーザの前記グループの前記使用可能量データに示される全部または一部またはそれよりも多い使用量を割当使用可能量として当該画像形成装置に対して割り当てる、使用可能量割当手段と、
前記画像形成装置に前記割当使用可能量を割り当てた際に、当該割当使用可能量が、当該画像形成装置のユーザの前記グループの前記使用可能量データに現在示される前記使用可能量以下である場合に、当該使用可能量と当該割当使用可能量との差分が新たに示されるように当該使用可能量データを更新する、正常時処理手段と、
前記画像形成装置に前記割当使用可能量を割り当てた際に、当該割当使用可能量が、当該画像形成装置のユーザの前記グループの前記使用可能量データに現在示される前記使用可能量よりも多い場合に、新たに０が示されるように当該使用可能量データを更新し、当該割当使用可能量と当該使用可能量との差分が他のいずれかのグループの現在の前記使用可能量から減らされるように当該他のグループの前記使用可能量データを更新し、かつ当該グループ、当該他のグループ、および当該差分に係る使用量をそれぞれ借主、貸主、および貸借使用量として示す貸借データを貸借データ記憶手段に記憶させる、不足時処理手段と、
前記グループの前記使用可能量に所定の使用量を補充する際に、当該グループが借主として示される前記貸借データが前記貸借データ記憶手段に記憶されている場合は、当該貸借データに示される貸借使用量が、当該貸借データに貸主として示される他のグループの現在の前記使用可能量に加算されるように当該他のグループの前記使用可能量データを更新し、当該所定の使用量と当該貸借使用量との差分が新たに示されるように当該グループの前記使用可能量データを更新し、かつ当該貸借データを前記貸借データ記憶手段から削除する、追加時処理手段と、を有し、
前記使用可能量割当手段は、前記画像形成装置のユーザの前記グループの前記使用可能量データに示される前記使用可能量が０以下の値でありかつ当該ユーザが指令した未完了の画像処理が当該画像形成装置にない場合は、当該画像形成装置に対して前記割当使用可能量を割り当てない、
ことを特徴とする画像形成装置使用管理システム。
【請求項３】
画像形成装置の使用に関する管理を行う画像形成装置使用管理システムであって、
ユーザに対して許可する、前記画像形成装置の使用量である使用可能量を示す、使用可能量データを、１人または複数のユーザによって構成されるグループごとに記憶する、使用可能量データ記憶手段と、
すべての前記グループのユーザに共通の前記使用可能量である共通使用可能量を示す共通使用可能量データを記憶する共通使用可能量データ記憶手段と、
前記画像形成装置からの要求に従って、当該画像形成装置のユーザの前記グループの前記使用可能量データに示される全部または一部またはそれよりも多い使用量を割当使用可能量として当該画像形成装置に対して割り当てる、使用可能量割当手段と、
前記画像形成装置に前記割当使用可能量を割り当てた際に、当該割当使用可能量が、当該画像形成装置のユーザの前記グループの前記使用可能量データに現在示される前記使用可能量以下である場合に、当該使用可能量と当該割当使用可能量との差分が新たに示されるように当該使用可能量データを更新する、正常時処理手段と、
前記画像形成装置に前記割当使用可能量を割り当てた際に、当該割当使用可能量が、当該画像形成装置のユーザの前記グループの前記使用可能量データに現在示される前記使用可能量よりも多い場合に、新たに０が示されるように当該使用可能量データを更新し、当該割当使用可能量と当該使用可能量との差分が現在の前記共通使用可能量から減らされるように前記共通使用可能量データを更新し、かつ当該グループおよび当該差分に係る使用量を示す貸借データを貸借データ記憶手段に記憶させる、不足時処理手段と、
前記グループの前記使用可能量に所定の使用量を補充する際に、当該グループが借主として示される前記貸借データが前記貸借データ記憶手段に記憶されている場合は、当該貸借データに示される貸借使用量が、現在の前記共通使用可能量に加算されるように前記共通使用可能量データを更新し、当該所定の使用量と当該貸借使用量との差分が新たに示されるように当該グループの前記使用可能量データを更新し、かつ当該貸借データを前記貸借データ記憶手段から削除する、追加時処理手段と、を有し、
前記使用可能量割当手段は、前記画像形成装置のユーザの前記グループの前記使用可能量データに示される前記使用可能量が０以下の値でありかつ当該ユーザが指令した未完了の画像処理が当該画像形成装置にない場合は、当該画像形成装置に対して前記割当使用可能量を割り当てない、
ことを特徴とする画像形成装置使用管理システム。
【請求項４】
画像形成装置の使用に関する制限を行う画像形成装置制限方法であって、
ユーザに対して許可する、前記画像形成装置の使用量である使用可能量を示す、使用可能量データを、１人または複数のユーザによって構成されるグループごとに記憶手段に記憶させておき、
前記画像形成装置からの要求に従って、当該画像形成装置のユーザの前記グループの前記使用可能量データに示される全部または一部またはそれよりも多い使用量を割当使用可能量として当該画像形成装置に対して割り当て、
前記画像形成装置に割り当てた前記割当使用可能量が、当該画像形成装置のユーザの前記グループの現在の前記使用可能量から減らされるように、当該ユーザの前記グループの前記使用可能量データを更新し、
前記グループの前記使用可能量に所定の使用量を補充する際に、当該グループの前記使用可能量データに示される前記使用可能量が負の値である場合は、当該所定の使用量と当該使用可能量の絶対値との差分が新たに示されるように、当該使用可能量データを更新するが、
前記画像形成装置のユーザの前記グループの前記使用可能量データに示される前記使用可能量が０以下の値でありかつ当該ユーザが指令した未完了の画像処理が当該画像形成装置にない場合には、当該画像形成装置に対して前記割当使用可能量を割り当てない、
ことを特徴とする画像形成装置制限方法。
【請求項５】
ユーザに対して許可する、前記画像形成装置の使用量である使用可能量を示す、使用可能量データを、１人または複数のユーザによって構成されるグループごとに記憶する、使用可能量データ記憶手段によって、当該画像形成装置の管理を行うコンピュータに用いられる、コンピュータプログラムであって、
前記コンピュータに、
前記画像形成装置からの要求に従って、当該画像形成装置のユーザの前記グループの前記使用可能量データに示される全部または一部またはそれよりも多い使用量を割当使用可能量として当該画像形成装置に対して割り当てる、使用可能量割当処理と、
前記画像形成装置に割り当てた前記割当使用可能量が、当該画像形成装置のユーザの前記グループの現在の前記使用可能量から減らされるように、当該ユーザの前記グループの前記使用可能量データを更新する、割当時更新処理と、
前記グループの前記使用可能量に所定の使用量を補充する際に、当該グループの前記使用可能量データに示される前記使用可能量が負の値である場合は、当該所定の使用量と当該使用可能量の絶対値との差分が新たに示されるように、当該使用可能量データを更新する、追加時更新処理と、
を実行させ、かつ、
前記画像形成装置のユーザの前記グループの前記使用可能量データに示される前記使用可能量が０以下の値でありかつ当該ユーザが指令した未完了の画像処理が当該画像形成装置にない場合は、当該画像形成装置に対する前記使用可能量割当処理を実行させない、
ことを特徴とするコンピュータプログラム。
【手続補正２】
【補正対象書類名】明細書
【補正対象項目名】０００９
【補正方法】変更
【補正の内容】
【０００９】
本発明に係る画像形成装置使用管理システムは、画像形成装置の使用に関する管理を行う画像形成装置使用管理システムであって、ユーザに対して許可する、前記画像形成装置の使用量である使用可能量を示す、使用可能量データを、１人または複数のユーザによって構成されるグループごとに記憶する、使用可能量データ記憶手段と、前記画像形成装置からの要求に従って、当該画像形成装置のユーザの前記グループの前記使用可能量データに示される全部または一部またはそれよりも多い使用量を割当使用可能量として当該画像形成装置に対して割り当てる、使用可能量割当手段と、前記画像形成装置に割り当てた前記割当使用可能量が、当該画像形成装置のユーザの前記グループの現在の前記使用可能量から減らされるように、当該ユーザの前記グループの前記使用可能量データを更新する、割当時更新手段と、前記グループの前記使用可能量に所定の使用量を補充する際に、当該グループの前記使用可能量データに示される前記使用可能量が負の値である場合は、当該所定の使用量と当該使用可能量の絶対値との差分が新たに示されるように、当該使用可能量データを更新する、追加時更新手段と、を有し、前記使用可能量割当手段は、前記画像形成装置のユーザの前記グループの前記使用可能量データに示される前記使用可能量が０以下の値でありかつ当該ユーザが指令した未完了の画像処理が当該画像形成装置にない場合は、当該画像形成装置に対して前記割当使用可能量を割り当てない、ことを特徴とする。
【手続補正３】
【補正対象書類名】明細書
【補正対象項目名】００１０
【補正方法】変更
【補正の内容】
【００１０】
本発明の他の形態に係る画像形成装置使用管理システムは、画像形成装置の使用に関する管理を行う画像形成装置使用管理システムであって、ユーザに対して許可する、前記画像形成装置の使用量である使用可能量を示す、使用可能量データを、１人または複数のユーザによって構成されるグループごとに記憶する、使用可能量データ記憶手段と、前記画像形成装置からの要求に従って、当該画像形成装置のユーザの前記グループの前記使用可能量データに示される全部または一部またはそれよりも多い使用量を割当使用可能量として当該画像形成装置に対して割り当てる、使用可能量割当手段と、前記画像形成装置に前記割当使用可能量を割り当てた際に、当該割当使用可能量が、当該画像形成装置のユーザの前記グループの前記使用可能量データに現在示される前記使用可能量以下である場合に、当該使用可能量と当該割当使用可能量との差分が新たに示されるように当該使用可能量データを更新する、正常時処理手段と、前記画像形成装置に前記割当使用可能量を割り当てた際に、当該割当使用可能量が、当該画像形成装置のユーザの前記グループの前記使用可能量データに現在示される前記使用可能量よりも多い場合に、新たに０が示されるように当該使用可能量データを更新し、当該割当使用可能量と当該使用可能量との差分が他のいずれかのグループの現在の前記使用可能量から減らされるように当該他のグループの前記使用可能量データを更新し、かつ当該グループ、当該他のグループ、および当該差分に係る使用量をそれぞれ借主、貸主、および貸借使用量として示す貸借データを貸借データ記憶手段に記憶させる、不足時処理手段と、前記グループの前記使用可能量に所定の使用量を補充する際に、当該グループが借主として示される前記貸借データが前記貸借データ記憶手段に記憶されている場合は、当該貸借データに示される貸借使用量が、当該貸借データに貸主として示される他のグループの現在の前記使用可能量に加算されるように当該他のグループの前記使用可能量データを更新し、当該所定の使用量と当該貸借使用量との差分が新たに示されるように当該グループの前記使用可能量データを更新し、かつ当該貸借データを前記貸借データ記憶手段から削除する、追加時処理手段と、を有し、前記使用可能量割当手段は、前記画像形成装置のユーザの前記グループの前記使用可能量データに示される前記使用可能量が０以下の値でありかつ当該ユーザが指令した未完了の画像処理が当該画像形成装置にない場合は、当該画像形成装置に対して前記割当使用可能量を割り当てない、ことを特徴とする。
【手続補正４】
【補正対象書類名】明細書
【補正対象項目名】００１１
【補正方法】変更
【補正の内容】
【００１１】
本発明の他の形態に係る画像形成装置使用管理システムは、画像形成装置の使用に関する管理を行う画像形成装置使用管理システムであって、ユーザに対して許可する、前記画像形成装置の使用量である使用可能量を示す、使用可能量データを、１人または複数のユーザによって構成されるグループごとに記憶する、使用可能量データ記憶手段と、すべての前記グループのユーザに共通の前記使用可能量である共通使用可能量を示す共通使用可能量データを記憶する共通使用可能量データ記憶手段と、前記画像形成装置からの要求に従って、当該画像形成装置のユーザの前記グループの前記使用可能量データに示される全部または一部またはそれよりも多い使用量を割当使用可能量として当該画像形成装置に対して割り当てる、使用可能量割当手段と、前記画像形成装置に前記割当使用可能量を割り当てた際に、当該割当使用可能量が、当該画像形成装置のユーザの前記グループの前記使用可能量データに現在示される前記使用可能量以下である場合に、当該使用可能量と当該割当使用可能量との差分が新たに示されるように当該使用可能量データを更新する、正常時処理手段と、前記画像形成装置に前記割当使用可能量を割り当てた際に、当該割当使用可能量が、当該画像形成装置のユーザの前記グループの前記使用可能量データに現在示される前記使用可能量よりも多い場合に、新たに０が示されるように当該使用可能量データを更新し、当該割当使用可能量と当該使用可能量との差分が現在の前記共通使用可能量から減らされるように前記共通使用可能量データを更新し、かつ当該グループおよび当該差分に係る使用量を示す貸借データを貸借データ記憶手段に記憶させる、不足時処理手段と、前記グループの前記使用可能量に所定の使用量を補充する際に、当該グループが借主として示される前記貸借データが前記貸借データ記憶手段に記憶されている場合は、当該貸借データに示される貸借使用量が、現在の前記共通使用可能量に加算されるように前記共通使用可能量データを更新し、当該所定の使用量と当該貸借使用量との差分が新たに示されるように当該グループの前記使用可能量データを更新し、かつ当該貸借データを前記貸借データ記憶手段から削除する、追加時処理手段と、を有し、前記使用可能量割当手段は、前記画像形成装置のユーザの前記グループの前記使用可能量データに示される前記使用可能量が０以下の値でありかつ当該ユーザが指令した未完了の画像処理が当該画像形成装置にない場合は、当該画像形成装置に対して前記割当使用可能量を割り当てない、ことを特徴とする。